(57)【特許請求の範囲】
【請求項１】
天井または壁に設けられた開口部と、
前記開口部の周囲で第１の設備機器を固定するビスと、
室内側で前記開口部を囲う枠体と、
前記枠体の対向する部分に架け渡されるとともに、前記対向部分の長手方向にスライド可能な調節部材とを備え、
前記調整部材は架け渡された方向に長孔が形成されるとともに、前記ビスが前記長孔に挿通されて固定され、
第２の設備機器が前記枠体に対して固定されたことを特徴とする設備機器の取付構造。
【請求項２】
前記枠体の対向部分にはその長手方向に長孔が形成され、前記調節部材は前記対向部分の長穴に挿通されるビスにてスライド可能に固定されることを特徴とする請求項１記載の設備機器の取り付け構造。
【発明の詳細な説明】
【０００１】
【発明の属する技術分野】
本発明は、空調機等の設備機器を既設の開口部や取付孔を利用して後付け可能に取付けるようにした設備機器の取付構造に関する。
【０００２】
【従来の技術】
従来、屋内に空調機等の設備機器を後付けする際には、天井面または壁等へ直接固定したり、新たに開口部を設けて、その開口を通して設備機器本体を取付けるようにしていた。
【０００３】
【発明が解決しようとする課題】
しかしながら、従来の設備機器を直接固定する構造では、天井面または壁等へ設備機器を固定するためのビス等のねじ穴加工を施す必要があり、施工に手間がかかるという問題があった。
【０００４】
また、新たに開口部を設ける場合では、上記と同様に開口を開ける加工が必要なため、施工が非常に面倒であるという問題があった。
【０００５】
本発明は、上記課題を解決するためになされたもので、本発明の目的は、設備機器を容易に取付けることができる設備機器の取付構造を提供することにある。
【０００６】
【課題を解決するための手段およびその作用・効果】
上記課題を解決するため、請求項１記載の発明では、天井または壁に設けられた開口部と、前記開口部の周囲で第１の設備機器を固定するビスと、室内側で前記開口部を囲う枠体と、前記枠体の対向する部分に架け渡されるとともに、前記対向部分の長手方向にスライド可能な調節部材とを備え、前記調整部材は架け渡された方向に長孔が形成されるとともに、前記ビスが前記長孔に挿通されて固定され、第２の設備機器が前記枠体に対して固定されたことを特徴としている。
【０００７】
このように構成された本発明によれば、後付けの設備機器（第２の設備機器）を固定するために新たにビス等のねじ穴加工を施したり、別個の開口を開設する必要が無く、既設の設備機器（第１の設備機器）の固定に用いられているビスを利用して固定することができる。
【０００８】
さらに請求項２記載の発明では、前記枠体の対向部分にはその長手方向に長孔が形成され、前記調節部材は前記対向部分の長穴に挿通されるビスにてスライド可能に固定されることを特徴とする。
【０００９】
このように構成された本発明によれば、簡易な構成で調節部材を枠体の対向部分の長手方向にスライド可能に固定することができる。
【００２１】
【発明の実施の形態】
以下に、本発明の実施の形態を添付図面により詳細に説明する。
【００２２】
図１は、本発明の一実施形態の取付状態を示す断面図、図２は、取付部材を示す平面図、図３は、図２のＰ矢視図、図４は、図３のＸ−Ｘ線部分断面図、図５は、本発明の一実施形態の要部を示す拡大図である。
【００２３】
図１に示すように、温風供給装置Ａは、浴室Ｂ内側から既設の換気扇Ｃとともに天井５０に取付けられている。
【００２４】
既設の換気扇Ｃは、本体ケース１内に備えた羽根車２と、羽根車２を回転駆動する換気用モーター３と、本体ケース１の一側面に設けた吸引口４と、他側面に設けた排気口５とから構成されており、吸引口４には、トイレ（図示せず）内に連通する吸引ダクト４１が、排気口５には屋外に連通する排気ダクト５１が、各々接続されている。
【００２５】
一方、温風供給装置Ａは、天井５０に取付ける取付部材２０と、この取付部材２０に着脱自在に取付ける本体１０と、取付部材２０及び本体１０を覆うように設けられ、第１吸込口１２、吹出し口１３、第２吸込口１４を開口した化粧板１５とから構成されており、本体１０内には、羽根車６とこの羽根車６を回転駆動する循環用モーター７とからなる循環用送風機８と、循環用送風機８の吹出風路１１に配設した加熱手段としてのヒーター９と、モーター７、ヒーター９等を制御する制御装置３０が内蔵されている。
【００２６】
また、制御装置３０は、天井５０裏に配設したジョイントボックス（図示せず）を介して既設の換気扇Ｃと電線により接続されており、ジョイントボックスには、トイレの適所に設けられている既設の操作スイッチ（図示せず）の信号線を配線している。
【００２７】
而して、この既設の操作スイッチをオン、オフ操作することにより、既設の換気扇Ｃ、温風供給装置Ａの運転を行うことができる。
【００２８】
即ち、操作スイッチをオンすると、まず既設の換気扇Ｃの換気用モーター３が駆動して換気運転を開始し、トイレ内の臭気を含んだ空気が吸引ダクト４１を介して吸引口４へと流れ、排気口５から排気ダクト５１を介して屋外へと排気される。また、浴室Ｂ内の湿気を含んだ空気も化粧板１５に設けた第２吸込口１４から本体ケース１内に吸い込まれ、排気口５から排気ダクト５１を介して屋外へと排気される。
【００２９】
そして、換気運転継続中に操作スイッチをオフして、そのオフから１秒以内に再度オンすると、運転モードが切り替えられ、換気用モーター３が継続して駆動するとともに、温風供給装置Ａの循環用モーター７が駆動して、浴室Ｂ内の湿気を含んだ空気が排気ダクト５１を介して屋外へと排気されるとともに、浴室Ｂ内の空気の一部が化粧板１５に設けた第１吸込口１２から本体１０内に吸い込まれ、吹出風路１１を通過中にヒーター９により温風となって吹出し口１３から浴室Ｂ内へ吹き出され、浴室Ｂ内に干された衣類等の洗濯物の乾燥運転が行われる。
【００３０】
そして、操作スイッチをオフして、そのオフから１秒以内に再度オンすると、運転モードが切り替えられ、循環用モーター７が継続して駆動するとともに換気用モーター３の駆動を停止し、浴室Ｂ内の空気が第１吸込口１２から吸い込まれて吹出風路１１を通り、ヒーター９により温風となって吹出し口１３から浴室Ｂ内へ吹き出され、浴室Ｂ内の暖房運転が行われる。
【００３１】
そして、操作スイッチをオフして、そのオフから１秒以内に再度オンすると、運転モードが切り替えられ、循環用モーター７が継続して駆動するとともにヒーター９への通電を停止し、浴室Ｂ内の空気が第１吸込口１２から吸い込まれて吹出風路１１を通り、吹出し口１３から浴室Ｂ内へ吹き出され、浴室Ｂ内の涼風運転が行われる。
【００３２】
そして、操作スイッチをオフして、そのオフから１秒以内に再度オンすると、運転モードが切り替えられ、再度、トイレ及び浴室Ｂの換気運転を開始する。
【００３３】
このように、操作スイッチ７０をオフしてから１秒以内に再度オンされる度に、次の運転モードに順次切り替えることができる。
【００３４】
また、操作スイッチをオフしてから１秒以内に再度オンしなかった場合は、その時の運転モードにおける運転は停止する。また、次の運転モードが、使用者の運転したい運転モードではない場合（例えば、換気運転から乾燥運転ではなく、暖房運転を行いたい場合など）は、操作スイッチのオン操作からオフ操作の間の時間を短くすれば、使用者の希望する運転モードに早く切り替えることができる。
【００３５】
尚、換気運転の次から始まる運転モードの順序は、上述した実施例に限定されるものではなく、また、換気運転から始まる運転モードの順序のパターンをいくつか設定してシーケンスに組み込み、使用者が希望するパターンを選定できるようにしてもよい。
【００３６】
図２に示すように、取付部材２０は、矩形状の枠体２１で形成されており、枠体２１の短手方向に２つの調節部材２２、２２を架け渡している。調節部材２２は、図示において、中心付近から端部にかけて上下に２つの長孔２２ａを開口しており、この長孔２２ａの長手方向にスライドするようにワッシャー２３が備えられている。また、長孔２２ａは、図５に示すように、その短手方向の幅が取付部材２０を固定するためのビス１６の頭１６ａ径よりも小さく形成している。このように形成すれば、必ずしもワッシャー２３は備えなくてもよい。尚、２１ｂは、温風供給装置Ａの本体１０を着脱自在に取付けるための固定部である。
【００３７】
また、図３及び図４に示すように、枠体２１の両側面には、調節部材２２、２２がスライドするレール部としての長孔２１ａ、２１ａを開口しており、調節部材２２のコの字状の切り欠き部２２ｂに座金２４を介してビス２５が長孔２１ａを挿通して設けられている。従って、ビス２５の軸部２５ａがガイドとなって、長孔２１ａの長手方向に調節部材２２を移動させることができる。
【００３８】
また、図４に示すように、ビス２５は固定手段としての機能を果たしており、ビス２５をねじ込めば、調節部材２２を長孔２１ａの移動範囲内の所望位置で固定することができる。更に、枠体２１の両側面には、目盛り４０が設けられており、後述するビス１６の取付位置に対応する位置に調節部材２２をビス２５により枠体２１に固定することができる。
【００３９】
以上の構成において、温風供給装置Ａを既設の換気扇Ｃとともに天井５０へ取付ける取付方法について、以下に詳述する。
【００４０】
天井５０への温風供給装置Ａの取付けは、まず、既設の換気扇Ｃに取付けられている化粧板（図示せず）を取り外して、本体ケース１に一体形成されているフランジ面１ａを、浴室Ｂ側から天井５０と補強のための補強木１７に対して固定しているビス１６等の図５における左右方向の取付位置を測定し、その測定寸法に応じた枠体２１の目盛り４０に調節部材２２を合せて、ビス２５により枠体２１に対して調節部材２２を固定する。そして、ビス１６の１個所を取り外し、取り外した後のビス１６取付孔１８を利用して、温風供給装置Ａの取付部材２０を調節部材２２、フランジ面１ａ、天井５０、補強木１７とともに、ワッシャー２３を介してビス１６若しくは新たなビス等により、仮固定する。
【００４１】
このようにして、順次、ビス１６を取り外しながら取付部材２０を仮固定していくが、この時、図５に示すように、既設の換気扇Ｃのフランジ面１ａが大きかったりしてビス１６の取付孔１８位置が異なっていても、調節部材２２に設けた長孔２２ａの図示における上下方向の範囲内、枠体２１に設けた長孔２１ａを移動する調節部材２２の図示における左右方向の範囲内において対応することができ、取付部材２０を仮固定することができる。
【００４２】
そして、仮固定が全部終了した時点で、本固定を行い、取付部材２０の固定部２１ｂに対して温風供給装置Ａの本体１０を着脱自在に取付け、本体１０に対して取付部材２０及び本体１０を覆うように化粧板１５を取付けて、既設の換気扇Ｃへの温風供給装置Ａの取付けが完了する。
【００４３】
このように、温風供給装置Ａを既設の換気扇Ｃとともに天井５０に対して取付けることにより、既設の換気扇Ｃを天井５０から取り外すことなく、既設の換気扇Ｃに温風供給装置Ａを容易に、且つ、楽に取付けることができ、また、既設の換気扇Ｃの固定のためのビス１６を取り外した後のビス１６取付孔１８を利用して温風供給装置Ａを取付けるので、新たにビス等のねじ穴加工を施す必要がなく、更に、ビス１６取付孔１８位置が異なっていても、複数の取付部材２０を用意することなく１つの取付部材２０で対応が可能なので、温風供給装置Ａの取付けの自由度が向上する。
【００４４】
上述した内容はあくまで本発明の一実施形態に関するものであって、本発明が上記内容のみに限定されることを意味されるものでない。例えば、既設の操作スイッチを用いて既設の換気扇Ｃ及び温風供給装置Ａの運転を操作するようにしたが、これに限らず、新たに操作部を備えて、その信号線を既設の換気扇Ｃ及び温風供給装置Ａに接続して運転を操作するようにしてもよく、また、ワイヤレスリモコンで運転を操作するようにしてもよい。
【００４５】
また、レール部として枠体２１に長孔２１ａを設けて調節部材２２移動させるようにしたが、これに限らず、周知のレール構造であってもよく、要は調節部材２２が枠体２１に対してスライドする構造であれば任意である。
【図面の簡単な説明】
【図１】本発明の一実施形態の取付状態を示す断面図である。
【図２】取付部材を示す平面図である。
【図３】図２のＰ矢視図である。
【図４】図３のＸ−Ｘ線部分断面図である。
【図５】本発明の一実施形態の要部を示す拡大図である。
【符号の説明】
Ａ…温風供給装置
Ｂ…浴室
Ｃ…換気扇
１…本体ケース
２…羽根車
３…換気用モーター
４…吸引口
５…排気口
６…羽根車
７…循環用モーター
８…循環用送風機
９…ヒーター
１０…本体
１１…吹出風路
１２…第１吸込口
１３…吹出し口
１４…第２吸込口
１５…化粧板
１６…ビス
１６ａ…ビス頭
１８…取付孔
２０…取付部材
２１…枠体
２１ａ…長孔
２１ｂ…固定部
２２…調節部材
２２ａ…長孔
２３…ワッシャー
２４…座金
２５…ビス（固定手段）
３０…制御装置
４０…目盛り
【図１】
0004244369.tif 000002
【図２】
0004244369.tif 000003
【図３】
0004244369.tif 000004
【図４】
0004244369.tif 000005
【図５】
0004244369.tif 000006